(57)【要約】【課題】  取り出された棒金硬貨と、釣銭用として補充されたバラ硬貨との間の対応を正確に管理する。【解決手段】  棒金収納庫１は、収納庫本体１ａと、この本体１ａに対して引出し自在な棒金ドロア１０〜１２とを有している。各ドロア１０〜１２には、特定金種の棒金硬貨をそれぞれ１本ずつに収納可能な複数の棒金収納部が設けられる。収納庫１は、ドロア１０〜１２の各収納部ごとに棒金硬貨の有無を検知する検知手段１８を有する。収納庫１の制御ユニット１６は、検知手段１８による検知結果を硬貨釣銭機３の制御ユニット３６へ送信する。制御ユニット３６は、取出棒金硬貨の包装を解いて得られたバラ硬貨が投入口３０へ投入された際に、識別手段３１によって識別された当該バラ硬貨の金種および枚数と、送信された検知結果に基づいて特定される取出棒金硬貨の金種および本数とを比較して、両者間の対応を判定する。【選択図】  図１
2006085332.tif 000002
【特許請求の範囲】
【請求項１】
複数金種の棒金硬貨を収納可能な棒金収納庫と、
この棒金収納庫の近傍に配設され、当該棒金収納庫と通信接続された硬貨釣銭機と、
を備え、
前記棒金収納庫は、
収納庫本体と、
この収納庫本体に対して引出し自在に設けられ、特定金種の棒金硬貨をそれぞれ１本ずつ収納可能な複数の棒金収納部が設けられた棒金ドロアと、
この棒金ドロアの各棒金収納部ごとに棒金硬貨の有無を検知する棒金有無検知手段と、
この有無検知手段による検知結果を前記硬貨釣銭機へ送信する検知結果送信手段と、
を有し、
前記硬貨釣銭機は、
釣銭用として補充されるバラ硬貨が投入される投入口と、
この投入口へ投入されたバラ硬貨の金種および枚数を識別する識別手段と、
前記棒金収納庫の検知結果送信手段から送信された検知結果に基づいて、前記棒金収納庫の棒金ドロアから取り出された棒金硬貨である取出棒金硬貨の金種および本数を特定する棒金特定手段と、
前記取出棒金硬貨の包装を解いて得られたバラ硬貨が前記投入口へ投入された際に、前記識別手段によって識別された当該バラ硬貨の金種および枚数と、前記棒金特定手段によって特定された前記取出棒金硬貨の金種および本数とを比較して両者間の対応を判定する判定手段と、
を有する、ことを特徴とする釣銭補充管理システム。
【請求項２】
複数金種の棒金硬貨を収納可能な棒金収納庫と、
この棒金収納庫の近傍に配設され、当該棒金収納庫と通信接続された硬貨釣銭機と、
この硬貨釣銭機の近傍に配設され、当該硬貨釣銭機と通信接続された金銭登録機と、
を備え、
前記棒金収納庫は、
収納庫本体と、
この収納庫本体に対して引出し自在に設けられ、特定金種の棒金硬貨をそれぞれ１本ずつ収納可能な複数の棒金収納部が設けられた棒金ドロアと、
この棒金ドロアの各棒金収納部ごとに棒金硬貨の有無を検知する棒金有無検知手段と、
この有無検知手段による検知結果を前記硬貨釣銭機へ送信する検知結果送信手段と、
を有し、
前記硬貨釣銭機は、
釣銭用として補充されるバラ硬貨が投入される投入口と、
この投入口へ投入されたバラ硬貨の金種および枚数を識別する識別手段と、
前記棒金収納庫の検知結果送信手段から送信された検知結果に基づいて、前記棒金収納庫の棒金ドロアから取り出された棒金硬貨である取出棒金硬貨の金種および本数を特定する棒金特定手段と、
この特定手段によって特定された前記取出棒金硬貨の金種および本数を前記金銭登録機へ送信する棒金情報送信手段と、
前記取出棒金硬貨の包装を解いて得られたバラ硬貨が前記投入口へ投入された際に、前記識別手段によって識別された当該バラ硬貨の金種および枚数を前記金銭登録機へ送信するバラ硬貨情報送信手段と、
を有し、
前記金銭登録機は、前記硬貨釣銭機の棒金情報送信手段から送信された前記取出棒金硬貨の金種および本数と、前記硬貨釣銭機のバラ硬貨情報送信手段から送信された前記バラ硬貨の金種および枚数とを比較して両者間の対応を判定する判定手段を有する、ことを特徴とする釣銭補充管理システム。
【発明の詳細な説明】
【技術分野】
【０００１】
本発明は、棒金硬貨（同一金種の硬貨を一定枚数だけ棒状にまとめて包装したもの）の包装を解いて得られたバラ硬貨を釣銭用として硬貨釣銭機に補充する際の管理を行うための釣銭補充管理システムに関する。
【背景技術】
【０００２】
上記のような釣銭補充管理システムとしては、例えば特許文献１に記載されたものがある。特許文献１に記載されたシステムは、硬貨釣銭機を含むＰＯＳレジスタと、このＰＯＳレジスタに通信接続された包装硬貨処理装置とを備えている。このシステムにおいては、必要に応じて包装硬貨処理装置から棒金硬貨（包装硬貨）を投出し、その棒金硬貨の包装を解いて得られたバラ硬貨を釣銭用としてＰＯＳレジスタに補充するようにしている。
【特許文献１】特開２００３−２６３６８２号公報
【発明の開示】
【発明が解決しようとする課題】
【０００３】
上述した従来の釣銭補充管理システムには、次のような問題点がある。
【０００４】
すなわち、包装硬貨処理装置が投出した棒金硬貨の情報はＰＯＳレジスタへ送信されるが、その棒金硬貨の包装を解いて得られたバラ硬貨の補充についての情報は店員等によってＰＯＳレジスタに手入力されるだけである（特許文献１の［００２６］〜［００２７］欄等を参照）。このため、取り出された棒金硬貨と、釣銭用として補充されたバラ硬貨との間の対応を管理する観点からは、管理の正確さの点で問題がある。
【０００５】
本発明は、このような点を考慮してなされたものであり、取り出された棒金硬貨と、釣銭用として補充されたバラ硬貨との間の対応を正確に管理することのできる釣銭補充管理システムを提供することを目的とする。
【課題を解決するための手段】
【０００６】
第１の発明は、複数金種の棒金硬貨を収納可能な棒金収納庫と、この棒金収納庫の近傍に配設され、当該棒金収納庫と通信接続された硬貨釣銭機とを備え、前記棒金収納庫は、収納庫本体と、この収納庫本体に対して引出し自在に設けられ、特定金種の棒金硬貨をそれぞれ１本ずつ収納可能な複数の棒金収納部が設けられた棒金ドロアと、この棒金ドロアの各棒金収納部ごとに棒金硬貨の有無を検知する棒金有無検知手段と、この有無検知手段による検知結果を前記硬貨釣銭機へ送信する検知結果送信手段とを有し、前記硬貨釣銭機は、釣銭用として補充されるバラ硬貨が投入される投入口と、この投入口へ投入されたバラ硬貨の金種および枚数を識別する識別手段と、前記棒金収納庫の検知結果送信手段から送信された検知結果に基づいて、前記棒金収納庫の棒金ドロアから取り出された棒金硬貨である取出棒金硬貨の金種および本数を特定する棒金特定手段と、前記取出棒金硬貨の包装を解いて得られたバラ硬貨が前記投入口へ投入された際に、前記識別手段によって識別された当該バラ硬貨の金種および枚数と、前記棒金特定手段によって特定された前記取出棒金硬貨の金種および本数とを比較して両者間の対応を判定する判定手段とを有する、ことを特徴とする釣銭補充管理システムである。
【０００７】
この第１の発明によれば、取出棒金硬貨の包装を解いて得られたバラ硬貨が硬貨釣銭機の投入口へ投入された際に、硬貨釣銭機の判定手段によって、識別手段により識別されたバラ硬貨の金種および枚数と、棒金収納庫における棒金有無検知手段の検知結果に基づいて特定された取出棒金硬貨の金種および本数とを比較して、両者間の対応を判定することができる。これにより、取り出された棒金硬貨と、釣銭用として補充されたバラ硬貨との間の対応を正確に管理することができる。
【０００８】
第２の発明は、複数金種の棒金硬貨を収納可能な棒金収納庫と、この棒金収納庫の近傍に配設され、当該棒金収納庫と通信接続された硬貨釣銭機と、この硬貨釣銭機の近傍に配設され、当該硬貨釣銭機と通信接続された金銭登録機とを備え、前記棒金収納庫は、収納庫本体と、この収納庫本体に対して引出し自在に設けられ、特定金種の棒金硬貨をそれぞれ１本ずつ収納可能な複数の棒金収納部が設けられた棒金ドロアと、この棒金ドロアの各棒金収納部ごとに棒金硬貨の有無を検知する棒金有無検知手段と、この有無検知手段による検知結果を前記硬貨釣銭機へ送信する検知結果送信手段とを有し、前記硬貨釣銭機は、釣銭用として補充されるバラ硬貨が投入される投入口と、この投入口へ投入されたバラ硬貨の金種および枚数を識別する識別手段と、前記棒金収納庫の検知結果送信手段から送信された検知結果に基づいて、前記棒金収納庫の棒金ドロアから取り出された棒金硬貨である取出棒金硬貨の金種および本数を特定する棒金特定手段と、この特定手段によって特定された前記取出棒金硬貨の金種および本数を前記金銭登録機へ送信する棒金情報送信手段と、前記取出棒金硬貨の包装を解いて得られたバラ硬貨が前記投入口へ投入された際に、前記識別手段によって識別された当該バラ硬貨の金種および枚数を前記金銭登録機へ送信するバラ硬貨情報送信手段とを有し、前記金銭登録機は、前記硬貨釣銭機の棒金情報送信手段から送信された前記取出棒金硬貨の金種および本数と、前記硬貨釣銭機のバラ硬貨情報送信手段から送信された前記バラ硬貨の金種および枚数とを比較して両者間の対応を判定する判定手段を有する、ことを特徴とする釣銭補充管理システムである。
【０００９】
この第２の発明によれば、取出棒金硬貨の包装を解いて得られたバラ硬貨が硬貨釣銭機の投入口へ投入された際に、金銭登録機の判定手段によって、棒金収納庫における棒金有無検知手段の検知結果に基づいて特定された取出棒金硬貨の金種および本数と、硬貨釣銭機の識別手段により識別されたバラ硬貨の金種および枚数とを比較して、両者間の対応を判定することができる。これにより、取り出された棒金硬貨と、釣銭用として補充されたバラ硬貨との間の対応を正確に管理することができる。
【発明を実施するための最良の形態】
【００１０】
次に、図面を参照して本発明の一実施形態について説明する。図１乃至図４は本発明による釣銭補充管理システムの実施の形態を示す図である。以下、図１乃至図４を参照して、本実施形態の構成、作用効果および変形例を順次説明する。
【００１１】
［構  成］
図１に示すように、本実施形態の釣銭補充管理システムは、複数金種の棒金硬貨を収納可能な棒金収納庫１と、硬貨釣銭機３と、ＰＯＳレジスタ（金銭登録機）５とを備えている。図２に示すように、本実施形態の棒金収納庫１および硬貨釣銭機３は、互いに上下方向に隣接して一体的に構成されている。具体的には、棒金収納庫１の本体（筐体）１ａと硬貨釣銭機３の筐体３ａとが一体的に形成されている。また、ＰＯＳレジスタ５は硬貨釣銭機３（および棒金収納庫１）の近傍に配設されている。
【００１２】
図１に示すように、棒金収納庫１、硬貨釣銭機３およびＰＯＳレジスタ５は、それぞれ制御ユニット１６、３６および５０を有している。そのうち、棒金収納庫１の制御ユニット１６は硬貨釣銭機３の制御ユニット３６と通信接続され、硬貨釣銭機３の制御ユニット３６はＰＯＳレジスタ５の制御ユニット５０と通信接続されている。
【００１３】
図１および図２に示すように、棒金収納庫１は、収納庫本体１ａと、この収納庫本体１ａに対してそれぞれ前方へ引出し自在に設けられた３つの棒金ドロア１０〜１２とを有している。各棒金ドロア１０〜１２には、特定金種の棒金硬貨をそれぞれ１本ずつに収納可能な複数の棒金収納部１４（図２）が設けられている。例えば、上段／中段／下段の各棒金ドロア１０，１１，１２には、１円／１０円／１００円の棒金硬貨用の収納部１４が８つずつ、５円／５０円／５００円の棒金硬貨用の収納部１４が２つずつ、それぞれ設けられる。なお、各収納部１４における棒金硬貨の収納姿勢は、棒金硬貨の軸線が棒金ドロア１０〜２０の引出し方向と直交するような、横向きの水平姿勢である。
【００１４】
また棒金収納庫１は、棒金ドロア１０〜１２の各棒金収納部１４ごとに棒金硬貨の有無を検知する棒金有無検知手段１８（図１）を有している。そして、棒金収納庫１の制御ユニット１６は、有無検知手段１８による検知結果を硬貨釣銭機３の制御ユニット３６へ送信する検知結果送信手段としての機能を有している。また、棒金収納庫１の本体１ａ前面には、有無検知手段１８による検知結果に基づいて各金種の棒金硬貨のFULL（満杯）／EMPTY（品切）等の状態を表示する表示パネル１ｂが設けられている。
【００１５】
なお、本明細書においては、棒金収納庫１の棒金ドロア１０〜１２から（通常、レジ係員によって）取り出された棒金硬貨を「取出棒金硬貨」と称する。
【００１６】
ここで、図３を参照して、棒金有無検知手段１８（図１）の具体的な構成例について説明する。図３には、棒金収納庫１の本体１ａ（図２）内部に設けられた枠体Ｆが示されている。この枠体Ｆは、各棒金ドロア１０〜２０を前後方向へスライド可能に保持している。枠体Ｆの前部には、上下１対の棒金径センサ（発光／受光ユニット）Ｓ１、左右３対の棒金孔センサ（発光／受光ユニット）Ｓ２および上下２対の棒金幅センサ（発光／受光ユニット）Ｓ３が設けられている。また、フレームＦの前部左側には、各棒金ドロア１０〜２０に対応して、合計３つの２相エンコーダＥが設けられている。
【００１７】
そして、引き出されていた棒金ドロア１０〜２０がフレームＦ（本体１ａ）に対して手動で押し込まれる際に、対応する２相エンコーダＥ、棒金径センサＳ１および棒金孔センサＳ２が、それぞれ図４に示すような信号７０、７２および７４を出力するようになっている。これらの出力信号のうち、２相エンコーダＥの信号７０によって、対応する棒金ドロア１０〜２０（各収納部１４）のセンサＳ１，Ｓ２に対する押込み方向の変位が特定される。また、各センサＳ１，Ｓ２の信号７２，７４によって、棒金Ｂ（図３（ａ））の外縁および内縁（中心孔のある５円および５０円の場合）による透光／遮光の遷移が特定される。
【００１８】
これにより、対応する棒金ドロア１０〜２０の各棒金収納部１４ごとに、棒金硬貨の有無だけでなく、収納されている棒金硬貨の直径および中心孔の有無も特定することが可能となる。すなわち、各収納部１４に存在する棒金硬貨が、本来収納すべき金種の棒金硬貨であるか否かをも検知できるようになっている。なお、上記の棒金幅センサＳ３を用いることで、各棒金収納部１４ごとに棒金の幅（軸線方向長さ）を検知することもできるが、通常は棒金の直径と中心孔の有無だけで金種の特定が十分に可能である。このため、棒金幅センサＳ３は予備的に設けられたものである。
【００１９】
次に、図１および図２に示すように、硬貨釣銭機３は、筐体３ａの前側に形成された投入口３０、払出口３４および表示・操作パネル３ｂ（図２）を有している。また、図１に示すように、硬貨釣銭機３は、識別手段３１、選別手段３２および金種別収納部３３を有している。そのうち、識別手段３１は、投入口３０に投入されたバラ硬貨の金種および枚数を識別するように構成されている。また、選別手段３２は、識別手段３１によって識別されたバラ硬貨を金種ごとに選別するように構成されている。そして、金種別収納部３３は、選別手段３２によって選別されたバラ硬貨を金種別に収納するように構成されている。
【００２０】
そして、この硬貨釣銭機３は、金種別収納部３３に収納されているバラ硬貨を、釣銭の払出し等の必要に応じて払出口３４へ投出するように構成されている。なお、投入口３０に投入されるバラ硬貨としては、釣銭用として補充される硬貨（典型的には取出棒金硬貨の包装を解いて得られたバラ硬貨）の他に、顧客から受け取った入金硬貨も含まれるが、両者は特に区別することなく金種別収納部３３に収納され、釣銭として利用される。
【００２１】
硬貨釣銭機３の制御ユニット３６は、棒金収納庫１の制御ユニット（検知結果送信手段）１６から送信された検知結果に基づいて、取出棒金硬貨の金種および本数を特定する棒金特定手段としての機能を有している。また、この制御ユニット３６は、取出棒金硬貨の包装を解いて得られたバラ硬貨が投入口３０へ投入された際に、識別手段３１によって識別された当該バラ硬貨の金種および枚数と、（棒金特定手段としての機能によって特定された）取出棒金硬貨の金種および本数とを比較して両者間の対応を判定する判定手段としての機能を有している。
【００２２】
例えば、バラ硬貨の金種および枚数と取出棒金硬貨の金種および本数とが対応していない（同一金種で、バラ硬貨の合計枚数が、棒金硬貨１本当たりの硬貨枚数（通常５０枚）×本数と一致しない）と判定された場合には、システムのログデータにフラグを立てる等の対応が取られる。
【００２３】
［作用効果］
次に、以上のように構成された本実施形態の作用効果について説明する。
【００２４】
本実施形態によれば、取出棒金硬貨の包装を解いて得られたバラ硬貨が硬貨釣銭機３の投入口３０へ投入された際に、硬貨釣銭機３の判定手段（制御ユニット３６）によって、識別手段３１により識別されたバラ硬貨の金種および枚数と、棒金収納庫１における棒金有無検知手段１８の検知結果に基づいて特定された取出棒金硬貨の金種および本数とを比較して、両者間の対応を判定することができる。これにより、取り出された棒金硬貨と、釣銭用として補充されたバラ硬貨との間の対応を正確に管理することができる。
【００２５】
［変形例］
（１）硬貨釣銭機３の制御ユニット３６が判定手段としての機能を有する場合について説明したが、これに代えて、ＰＯＳレジスタ（金銭登録機）５の制御ユニット５０が判定手段としての機能を有していてもよい。
【００２６】
その場合、硬貨釣銭機３の制御ユニット３６が更に：
特定手段によって特定された取出棒金硬貨の金種および本数をＰＯＳレジスタ５へ送信する棒金情報送信手段；および
取出棒金硬貨の包装を解いて得られたバラ硬貨が投入口３０へ投入された際に、識別手段３１によって識別された当該バラ硬貨の金種および枚数をＰＯＳレジスタ５へ送信するバラ硬貨情報送信手段としての機能を有し、
判定手段としてのＰＯＳレジスタ５の制御ユニット５０が、硬貨釣銭機３の棒金情報送信手段（制御ユニット３６）から送信された取出棒金硬貨の金種および本数と、硬貨釣銭機３のバラ硬貨情報送信手段（制御ユニット３６）から送信されたバラ硬貨の金種および枚数とを比較して両者間の対応を判定する、
ように構成することができる。
【００２７】
この場合、取出棒金硬貨の包装を解いて得られたバラ硬貨が硬貨釣銭機３の投入口３０へ投入された際に、金銭登録機５の判定手段５０によって、棒金収納庫１における棒金有無検知手段１８の検知結果に基づいて特定された取出棒金硬貨の金種および本数と、硬貨釣銭機３の識別手段３１により識別されたバラ硬貨の金種および枚数とを比較して、両者間の対応を判定することができる。
【００２８】
（２）棒金収納庫１と硬貨釣銭機３とが互いに隣接して一体的に構成されている場合について説明したが、棒金収納庫１と硬貨釣銭機３とは、必ずしも互いに一体的に構成されている必要はない。すなわち、棒金収納庫１と硬貨釣銭機３とが少なくとも互いに近傍に配置されていれば、棒金収納庫１から硬貨釣銭機３へと釣銭用の硬貨の補充を即座に行うことができるという利点が得られる。
【図面の簡単な説明】
【００２９】
【図１】本発明による釣銭補充管理システムの一実施形態を示すブロック図。
【図２】図１に示したシステムの棒金収納庫および硬貨釣銭機を示す斜視図。
【図３】図２に示した棒金収納庫の内部構造を示す（ａ）上側斜視図および（ｂ）下側斜視図。
【図４】図３に示したエンコーダおよびセンサの出力信号の例を示す図。
【符号の説明】
【００３０】
１  棒金収納庫
１ａ  本体
１０，１１，１２  棒金ドロア
１４  棒金収納部
１６  制御ユニット（検知結果送信手段）
１８  棒金有無検知手段
Ｅ  ２相エンコーダ
Ｓ１  棒金径センサ
Ｓ２  棒金孔センサ
３  硬貨釣銭機
３ａ  筐体
３０  投入口
３１  識別手段
３２  選別手段
３３  金種別収納部
３４  払出口
３６  制御ユニット（判定手段，棒金特定手段，棒金情報／バラ硬貨情報送信手段）
５  金銭登録機
５０  制御ユニット（判定手段）
【図１】
2006085332.tif 000003
【図２】
2006085332.tif 000004
【図３】
2006085332.tif 000005
【図４】
2006085332.tif 000006